(57)【要約】  本発明は、傾斜した環付きタイプの浮子、より具体的には、波によってほとんど動かされることがないために方向性を維持でき、入水感度が改善されている、浮力調整を容易にするために簡単に交換できる舵付きの傾斜した環付きタイプの浮子に関するものである。 本発明に係る、交換可能な舵を備えた傾斜した環付きタイプの浮子は、その上部側に形成された開口部を有する中空円筒状の浮子本体、その長手方向に延長して上方に突出するその基端部側に形成された隆起部、道糸を貫通させるために隆起部に形成された透孔、および浮子本体の外側に連通するために透孔の下および透孔に沿って形成された受け溝、舵の一部が浮子本体の外側に露出しており浮子本体より大きな比重の素材でできている着脱可能に受け溝に嵌装した板状の舵、および浮子本体の内部をシールするために開口部の外周に固定的に結合するカバーを具備する。 透孔の中央軸に対して垂直な浮子本体およびカバーの断面形状は、舵の中央軸に対してそれぞれ対称である。
2006519027.tif 000002
【特許請求の範囲】
【請求項１】
透孔の中央軸に対して垂直な浮子本体およびカバーの断面形状が、舵の中央軸に対してそれぞれ対称である浮子であって、その上部側に形成された開口部を有する中空の浮子本体、その長手方向に延長して上方に突出するその基端部側に形成された隆起部、道糸を貫通させるために隆起部に形成された透孔、および浮子本体の外側に連通するために透孔の下および透孔に沿って形成された受け溝、舵の一部が浮子本体の外側に露出しており浮子本体より大きな比重の素材でできている着脱可能に受け溝に嵌装した板状の舵、および浮子本体の内部をシールするために開口部の外周に固定的に結合するカバーを具備する交換可能な舵を備えた浮子。
【請求項２】
浮子本体の受け溝が、その上内部表面に形成された舵を受けて固定するための所定の長さで透孔の長手方向に拡大部分を有する係合凹部を有し、舵が、その上部で形成された係合凹部に固定的に嵌装された係合突起部を有する請求項1に係る浮子。
【請求項３】
透孔の直径が徐々に減少するよう透孔にテーパーがつけられ、受け溝が逆側表面の両位置に形成された固定突出部を有する請求項2に係る浮子。
【請求項４】
舵が浮力調節用の重量調節孔を有する請求項3に係る浮子。
【請求項５】
浮力を調節するために隆起部に固定された重錘をさらに具備する請求項１〜４の任意の１項に係る浮子。
【請求項６】
浮力を調節するために浮子本体内部の基端部表面に固定された重錘をさらに具備する請求項１〜４の任意の１項に係る浮子。
【請求項７】
重錘が、浮子本体の長手方向に隆起部の両側に配設された一対の重錘からなり、それぞれの重錘の両長手方向末端部分が、浮子本体内部の基端部表面形状に整合するように曲げられた請求項６に係る浮子。
【請求項８】
浮子本体に浮子本体内部の基端部表面上の隆起部両側に形成された上方に突出する支持片を設けられており、一対の重錘のそれぞれを該当する支持片が固定的に嵌装されている受け凹部と共に形成された請求項７に係る浮子。
【請求項９】
浮子本体およびカバーがプラスチック素材の射出成形によって作られ、そして舵が金属製である請求項１〜４の任意の１項に係る浮子。
【発明の詳細な説明】
【技術分野】
【０００１】
本発明は、釣り用浮子、より具体的には、波によってほとんど動かされることがないために方向性が維持され、入水感度が改善され、浮力調整を容易にするために簡単に交換できる舵を備えた浮子に関するものである。 
【背景技術】
【０００２】
一般的に、浮子は浮揚性のあるマーカーであって、成魚が餌または釣り針に食いついたときに生じる信号 (すなわち魚信) を伝えるものである。 浮子は漁業に必要とされる道具の1つであり、浮子の形状および種類は非常に変化に富んでいる。 浮子の要件としては一般に、変化する環境条件下で漁師が浮子を視覚的に認識できる視認性、魚信を感知するための鋭い感度、釣り仕掛けを遠くに投げることを可能にする能力、魚信がなく外部力もかかっていないときに浮子が揺れたり傾いたりすることを防止するための安定性、そして浮子の長期間にわたる使用を可能にする耐久性が挙げられるであろう。
【０００３】
要件を満たす浮子としてはラインフローターが広範に用いられている。 具体的には、傾斜使用される(used inclined) 中通しタイプの浮子は中通しタイプの浮子の一種であり、フルフローティングタイプの仕掛けまたはセミフローティングタイプの仕掛けに広範に使用される。
【０００４】
1997年年１０月２１日に公開された「釣り用浮子」と題された日本国特許出願公開番号：特開平09-271308に記載の第４実施形態では、安定性を高めるために浮子本体の基端部表面に案内翼が設けられ、浮力調整を容易にするために案内翼にネジ穴が形成され、そして簡単に浮力調節を行って安定性を高めるためにネジが着脱自在にネジ穴に螺着される中通しタイプの浮子に関連する構造が開示されている。
【０００５】
しかしながら、波または風などの環境条件が変化する場合には、そのような従来の中通しタイプの浮子では、案内翼が変化した環境条件に応じた好適な形状を持つように改変または変更することができない。加えて、舵のネジ穴を機械加工すること、そして一定浮力を確保できるような適切なネジを選択することは困難である。このように、従来の中通しタイプの浮子には、製造および使用上に多くの不都合な面がある。さらに、上記に記載した釣り用浮子の構造は、適切な浮力を有する釣り用浮子を大量生産する上には好適なでない。
【０００６】
加えて、従来の中通しタイプの浮子の基端部の形状が、傾斜使用される中通しタイプの浮子が入水するためには好適でないので、成魚が釣り仕掛けに食いつき引っ張ったときに水抵抗が増加してしまう。従って、成魚が違和感を感じて一旦食いついた釣り仕掛けを放してしまうという問題がある。
【０００７】
また、案内翼が使用中に損傷した場合、釣り用浮子全体が使えなくなってしまうので、資源の無駄という問題がある。
【発明の開示】
【発明が解決しようとする課題】
【０００８】
本発明は前記問題を解決するために成されたものである。本発明の目的は、容易な浮力調節を実現するために舵を別の舵と交換できる構造の舵を備えた浮子を提供することである。
【０００９】
本発明の別の目的は、浮子自体を全部交換することなしに、引き潮または洪水状態などの釣り環境の変化に応じることができるように、舵が交換可能に構築されている浮子を提供することである。
【００１０】
本発明のさらなる目的は、舵を簡単に交換および修理することができ、そして大量生産に好適な構造を有する中通しタイプの浮子を提供することである。
【課題を解決するための手段】
【００１１】
本発明に係る、交換可能な舵を備えた中通しタイプの浮子は、その上部側に形成された開口部を有する中空の浮子本体、その長手方向に延長して上方に突出するその基端部側に形成された隆起部、道糸を貫通させるために隆起部に形成された透孔、および浮子本体の外側に連通するために透孔の下および透孔に沿って形成された受け溝、舵の一部が浮子本体の外側に露出しており浮子本体より大きな比重の素材でできている着脱可能に受け溝に嵌装した板状の舵、および浮子本体の内部をシールするために開口部の外周に固定的に結合するカバーを具備する。透孔の中央軸に対して垂直な浮子本体およびカバーの断面形状は、舵の中央軸に対してそれぞれ対称とする。
【００１２】
本発明に係る交換可能な舵を備えた中通しタイプの浮子では、浮子本体の受け溝に、その上内部表面に形成され舵を受けて固定するための所定の長さで透孔の長手方向に拡大部分を有する係合凹部を設けてもよいし、舵には、その上部で形成され係合凹部に固定的に嵌装される係合突起部を設けてもよい。
【００１３】
本発明に係る交換可能な舵を備えた中通しタイプの浮子では、その直径が徐々に減少するように透孔にテーパーをつけてもよいし、受け溝には、その逆側の表面の両位置に固定突出部を形成してもよい。
【００１４】
本発明に係る交換可能な舵を備えた中通しタイプの浮子では、舵に浮力調節用の重量調節孔を設けてもよい。
【００１５】
さらに本発明に係る交換可能な舵を備えた中通しタイプの浮子は、浮力を調節するために隆起部に固定される重錘を具備することができる。
【００１６】
ここで、浮力を調節するために、重錘を浮子本体内部の基端部表面に固定してもよい。さらに、一対の重錘を浮子本体の長手方向における隆起部の両側に配設してもよいし、それぞれの重錘の両長手方向末端を曲げて浮子本体内部の基端部表面形状に整合させてもよい。 また、浮子本体に、浮子本体内部の基端部表面上の隆起部両側に形成された上方に突出する支持片を設けてもよいし、一対の重錘のそれぞれを該当する支持片が固定的に嵌装されている受け凹部と共に形成してもよい。
【００１７】
本発明に係る交換可能な舵を備えた中通しタイプの浮子では、浮子本体およびカバーをプラスチック素材の射出成形によって作ってもよいし、舵は金属製であってもよい。
【発明を実施するための最良の形態】
【００１８】
以下に、本発明の好ましい実施形態を添付図面を参照して詳しく記載する。
【００１９】
図1〜図4で示したように、本発明の実施形態に係る中通しタイプの浮子は、浮子本体10、浮子本体10に着脱可能に装着された舵2、および開口部14の外周に固定的に取り付けられ、そして浮子本体の開口部14を密閉するカバー 30 を具備する。さらに、必要があれば、本実施形態で図解の通り、中通しタイプの浮子の浮力を調節するために重錘 40 を浮子本体 10 に入れることも可能である。
【００２０】
本発明の浮子本体 10 は、その上部に形成された開口部を有し、隆起部 11 が縦方向に延長され、本体で上向きに突出するように形成された中空体である。 図 3 および 4 に示すように、道糸が貫通する透孔 12a を隆起部 11 内部に縦方向に形成する。 受け溝 12c は、下 舵 20 を受け入れるために透孔 12a の下に沿って形成する。 図 1、3 および 4 に示すように、舵上の係合突出部 21、22 および 23 を受け入れるために舵係合凹部 12b を受け溝 12c の上部側で形成し、それぞれの係合凹部 12c の横断面を一定の長さにわたって透孔 12a の長手方向に拡張する。 道糸の動きを制限することによって中通しタイプの浮子感度を高めるため、透孔の直径が入口からその出口に向かって徐々に減少するように透孔 12a にテーパーをつけることが好ましい。 透孔にテーパーをつける場合、透孔 12a 入口の円基端部側が出口の円基端部側と同一平面にあることが好ましい。
【００２１】
さらに、その両側に挿入した舵を確実に支持するために、内向きに突出する固定突出部 12d を受け溝 12c の両逆側表面上の該当する位置でそれぞれ形成する。 
図５に示すように、舵 20 はプレート形状を持ち、受け溝 12c で受け入れられる舵上部は真っ直ぐな形状を持つ。 係合凹部 12b で受け入れられる複数の係合突出部 21、22 および 23 を舵上部に形成する。 舵 20 が受け溝 12c に受け入れられると、最深の係合突起部 21 により、挿入舵の位置が決定される。 舵の横方向の動きを防止するために、残りの突出部 22 および 23 により舵を支持する機能が実行される。 さらに、図 5 に示すように、浮子の浮力を微調整するために重量調節孔 24 を舵 20 に形成する。 必要があれば、複数の重量調節穴 24 を舵に設けてもよい。 異なる数の重量調節穴を有する種々の舵を準備し、環境に応じて交換および使用することもできる。 中通しタイプの浮子は、環付きタイプの浮子の浮力を調節するために、浮子本体を取り外すことなしに舵 20 のみが別の舵と交換できる構造になっている。 本舵は、浮子の重心を浮子の基端部側の位置にするために、浮子本体 10 の比重よりも大きな比重を有する素材よりできている。 以上の点から、舵は浮子の安定性を促進するための錘としての機能を果たす。 舵の露出部により、中通しタイプの浮子が波を乗りきりその方向性をガイドする機能を持つことが可能になる。 舵が別の舵と交換されることが意図される場合、または浮力調節をするために浮子本体から分離される場合、浮子本体 10 を保持して舵 20 を押すことによって舵 20 を浮子から分離することができる。 舵は金属でできていることが好ましい。 但し、金属のみに限定されるものではない。 すなわち、浮子本体 10 より大きな比重および好適な強度を有する任意の素材を舵の製造用に使用できる。 舵を浮子本体 10 の外側に露出するため、舵 20 には受け溝 12c よりも大きな領域が備わっている。  好ましくは、舵 20 の露出部が長手方向で流線型になっており、長手方向に対して垂直な断面の厚みが下端部 25 に向かって徐々に減少しており、それによって浮子入水時の水抵抗が減少される。 また、舵 20 が浮子本体 10 に装着される際に、重心が舵の長手方向中心から所定の距離オフセットするように、浮子本体 10 の外側に露出した舵 20 部の形状を非対称とすることもできる。 従って、釣り中に浮子の傾きを調節する必要がある場合、浮子の浮力さらには、水上の浮子傾斜は、交換する舵 20 の適切な形状を選別することによって簡単に調節できる。
【００２２】
浮子が波を乗りきるとき、または風のために動揺するとき、舵が浮子の方向性をガイドする機能を実行するように、舵 20 は浮子本体の外側へ露出させる。 同時に、成魚が餌または釣り針食いついた場合、舵により浮子入水時に生じた抵抗が減じられ、それによって入水感度が向上する。 このように、成魚が釣り針に食いつくと、舵によって浮子入水時に生じた水抵抗が減じられ、成魚が感じる違和感を減じ、それによって成魚が一旦食いついた釣り針を吐き出すことが防止される。
【００２３】
カバー 30 を射出成形により製造し、浮子本体が適切な浮力を持つように浮子本体 10 内部の空洞を完全にシールする。 同時に、浮力を調節するために重錘 40 を浮子本体 10 内に収容してもよい。 カバー 30 の外周形状は浮子本体 10 の開口部 14 と同じ形状を持つ。 カバーの開口部 14 外周への融合結合を容易にするため、段差 30a および 30b をカバー 30 外周に形成する。また、段差 10a および 10b もカバー 30 と開口部との噛合を容易にするため、浮子本体の開口部外周に形成する。 具体的には、カバーが容易に開口部 14 外周に確実に位置させるために、出っ張り 31 を、開口部 14 に対して突出させ嵌装させるようにカバー 30 外周に沿って形成する。 
重錘 40 は、鉛または類似の素材できており、隆起部 11 の外表面を封入するための曲面を持つ。 重錘 40 は、隆起部 11 上に形成された突起 13 受け、重錘を隆起部 11 に対して固定するための固定孔 41 を持つ。 プラスチックでできている突起 13 を固定孔 41 に嵌装し、次いで重錘 40 を隆起部 11 に固定できるように溶融する。 
図 6 および 7 には、前の実施形態と異なる形状および位置を有する重錘を持つ別の実施形態を示す。 図 6 および 7 に示した実施形態におけるそれぞれの重錘 50 は棒形状を持ち、浮子本体の長手方向に浮子本体内部の基端部表面10 に載置する。 
重錘 50 の移動または逃亡を防止するために、上方に突出する支持片 15 を重錘 50 が装着される浮子本体内部の基端部表面10 上の隆起部 11 の両側に形成した。 
さらに、各重錘 50 の長手方向への移動とを防止するためには、各支持片 15 が取り付けられている受け凹部 51 を各重錘 50 に形成することが好ましい。 上記に記載した構造では、各重錘 50 を該当する支持片 15 と隆起部 11 の該当側表面間に取り付ける。 また、浮力調節に必要とされるその重量のため、各重錘 50 の長さが浮子本体の長さよりも長い場合は、図 6 に示すように各重錘 50 の両末端部分を曲げることができる。. その上、浮子両側のバランスを取るためには、この実施形態における重錘 50 を隆起部 11 の両側に配設することが好ましい。 
浮子本体 10 およびカバー 30 は木片を機械加工することによって作ることができるが 、大量生産が可能な製品を製造するため、および均一な浮力を達成するにはプラスチック素材を射出成型することが望ましい。 浮子の耐久性を高めるためには、浮子本体 10 の外表面を適切な素材で被覆することができる。その上、浮子本体 10 およびカバー 30 では、透孔 12 の中央軸に対して垂直な断面形状が、安定性を高めるために舵の中央軸 20 に対して対称である。 
また、必要があれば、外観を装飾し透孔 12a と道糸間の摩擦を減少するために、図 2 に示すように中空 円筒状ブッシング 50 を浮子本体 10 の透孔 12a 入口に挿入することができる。. 
【産業上の利用可能性】
【００２４】
本発明は、浮力を調節するために舵のみを別の舵と交換できる中通しタイプの浮子を提供する。
【００２５】
さらに、本発明の中通しタイプの浮子では、中通しタイプの浮子全体を交換することなしに引き潮または洪水状態などの釣り環境に応じて、舵のみを別の舵と交換できるので、浮子交換の不都合さを回避することができる。
【００２６】
さらに、本発明は舵を簡単に交換および修理することができる、大量生産に好適な構造を有する中通しタイプの浮子を提供する。
【００２７】
本発明の技術的な精神が上記に記載した本発明の実施形態および図面の図解によって限定されるべきではないことを意図する。本発明の範囲は特許請求の範囲のみによって規定されるものである。 当業者であれば、本発明の真の精神から逸脱することなく種々の変更および修正を行い得る。 従って、当業者であれば当然である種々の変更および修正は本発明の範囲内のものとする。 
【図面の簡単な説明】
【００２８】
【図１】本発明に係る交換可能な舵を備えた中通しタイプの浮子の実施形態の分解斜視図である。
【図２】図１に示した実施形態の組み立て状態の斜視図を示す。
【図３】図２のA-A 断面図である。
【図４】図２の B-B 断面図である。
【図５】本発明に係る交換可能な舵の他実施形態の斜視図である。
【図６】本発明に係る交換可能な舵を備えた傾斜した環付きタイプの浮子の別の実施形態の分解斜視図である。
【図７】図６の C-C 断面図である。
【符号の説明】
【００２９】
１０  浮子本体
１１  隆起部
１２ａ  透孔
１２ｂ  舵の係合凹部
２０  舵
２１  舵の係合突起部
３０  カバー
４０  重錘
【図１】
2006519027.tif 000003
【図２】
2006519027.tif 000004
【図４】
2006519027.tif 000005
【図３】
2006519027.tif 000006
【図５】
2006519027.tif 000007
【図６】
2006519027.tif 000008
【図７】
2006519027.tif 000009
【国際調査報告】
2006519027.tif 000010
2006519027.tif 000011